(57)【要約】      （修正有）【課題】ブルーレイディスク標準のRLL符号の制限に従いつつ、既存の７つの同期カラーパターンに加え、バージョンに対する拡張で要求されている付加的同期カラーパターンを有する記録担体を提供する。【解決手段】同期パターンは一の同期パターンを他の同期パターンから区別するための部分を有し、前記同期パターンを区別するための部分は、ビットシーケンス100  101またはビットシーケンス010  101から構成されている。【選択図】図６
2010108596.tif 000002
【特許請求の範囲】
【請求項１】
情報のブロックを識別するための同期パターンを有する記録担体であって、
前記同期パターンは一の同期パターンを他の同期パターンから区別するための部分を有し、
前記同期パターンを区別するための部分は、ビットシーケンス100  101またはビットシーケンス010  101から構成されていることを特徴とする記録担体。
【請求項２】
請求項１に記載の記録担体であって、
前記ビットシーケンス100  101またはビットシーケンス010  101から構成されている前記同期パターンを区別するための部分を有する前記同期パターンの直後に、繰り返し最小遷移ランレングスに対する制限に違反しないビットシーケンスが続くことを特徴とする記録担体。
【請求項３】
請求項２に記載の記録担体であって、
前記ビットシーケンス100  101またはビットシーケンス010  101から構成されている前記同期パターンを区別するための部分を有する前記同期パターンの直後に、シーケンス01  11  01  11以外の８ビットデータビットシーケンスが続くことを特徴とする記録担体。
【請求項４】
情報のブロックを識別するための同期パターンを有する記録担体であって、
前記同期パターンは一の同期パターンを他の同期パターンから区別するための部分を有し、
前記同期パターンを区別するための部分は、ビットシーケンス101  001、ビットシーケンス010  100、またはビットシーケンス100  100から構成されていることを特徴とする記録担体。
【請求項５】
記録担体に情報のブロックを識別するための同期パターンを記録する装置であって、
前記同期パターンは一の同期パターンを他の同期パターンから区別するための部分を有し、
前記装置は、ビットシーケンス100  101またはビットシーケンス010  101から構成されている、同期パターンを区別するための部分を有する同期パターンを記録するように動作することを特徴とする装置。
【請求項６】
記録担体に情報のブロックを識別するための同期パターンを記録する装置であって、
前記同期パターンは一の同期パターンを他の同期パターンから区別するための部分を有し、
前記装置は、ビットシーケンス101  001、ビットシーケンス010  100、またはビットシーケンス100  100から構成されている、同期パターンを区別するための部分を有する同期パターンを記録するように動作することを特徴とする装置。
【請求項７】
記録担体からデータパターンを読み出す装置であって、
前記データパターンは情報のブロックを識別するための同期パターンを有し、
前記同期パターンは一の同期パターンを他の同期パターンから区別するための部分を有し、
前記装置は、ビットシーケンス100  101またはビットシーケンス010  101から構成されている、同期パターンを区別するための部分を有する同期パターンを識別するように動作することを特徴とする装置。
【請求項８】
記録担体からデータパターンを読み出す装置であって、
前記データパターンは情報のブロックを識別するための同期パターンを有し、
前記同期パターンは一の同期パターンを他の同期パターンから区別するための部分を有し、
前記装置は、ビットシーケンス101  001、ビットシーケンス010  100、またはビットシーケンス100  100から構成されている、同期パターンを区別するための部分を有する同期パターンを識別するように動作することを特徴とする装置。
【発明の詳細な説明】
【技術分野】
【０００１】
本発明は情報ブロックを特定する同期パターンを有する記録担体に関する。該同期パターンは、一の同期パターンを他の同期パターンから識別する部分を有する。本発明は、特に、ブルーレイディスクフォーマットによる記録担体に関する。本発明はさらに、情報をその記録担体に記録する方法、情報をその記録担体から読み出す方法、情報をその記録担体に記録する装置、情報をその記録担体から読み出す装置に関する。
【背景技術】
【０００２】
ブルーレイディスク標準（Blu-ray  Disc  System  Description,  Rewritable  Format,  part  1,  Basic  Format  Specifications）による現行のブルーレイディスクフォーマットでは、７つの同期パターンFS0〜FS6が規定されている。各同期パターンは独自の同期カラーパターンを有している。ここで、同期カラーパターンとは同期パターンのユニークな部分であり、その部分により一の同期パターンが他の同期パターンから識別される。同期カラーパターンは、それがなければ同一のものとなってしまう同期パターンを識別するサインであると考えてもよい。
【０００３】
同期パターンは、例えば、記録担体に格納された情報ブロック（ブルーレイディスクフォーマットの記録フレーム等）の始めを表すために用いられる。区別できる同期パターンの構造を利用することにより、別個の情報ブロックを識別することができる。
【０００４】
ブルーレイディスク標準によれば、同期カラーパターンは６情報ビットで構成されている。この６ビット同期カラーパターンは17PP変調符号であるd=1、k=7、繰り返し最小遷移ランレングス（RMTR）が６のRLL符号の制限に従う（同期パターン自体は従わない）。さらに、インテグリティのため、これらのパターンは、遷移シフトに対する距離が２以上であるように選ばれている。17PP変調符号自体と変調データを記録再生する装置が特許文献１に記載されている。また、同期カラーパターンが特許文献２に記載されている。
【０００５】
一部のアプリケーションでは、少なくとも付加的に８番目の同期カラーパターンを有することが有利である。例えば、付加的同期カラーパターンを有する同期パターンは、リライタブルブルーレイディスク標準のROM（Read  Only  Memory）バージョンに対する拡張で要求されている。これらの付加的同期カラーパターンは、好ましくは上記の制限に従う。しかし、このような付加的同期カラーパターンを設けることは困難である。
【特許文献１】国際出願第WO99/63671号
【特許文献２】国際出願第WO99/22375号
【発明の開示】
【発明が解決しようとする課題】
【０００６】
本発明の目的は、上記制限にできるだけよく従う、既存の７つの同期カラーパターンに加え、付加的同期カラーパターンを有する記録担体を提供することである。
【課題を解決するための手段】
【０００７】
本発明の第１の態様によれば、この目的は、付加的同期カラーパターンが６つの情報ビット100  101または６つの情報ビット010  101いずれかから構成されたパターンであるときに達成される。このような付加的同期カラーパターンを例えばFS7とする。
【０００８】
これらの同期カラーパターンはそれ自体で変調符号制限とハミング距離制限に従っているが、特定のソースデータビットが続いたときにRMTR違反を生じる。繰り返し最小遷移ランレングス（RMTR）が７である最悪のシナリオを図３に示した。このようなアーティファクトを克服する本発明の２つの実施形態を以下に説明する。
【０００９】
本発明の第１の実施形態によれば、６つの情報ビット100  101または６つの情報ビット010  101のいずれかから構成されている付加的同期カラーパターンの直後のソースデータビットシーケンス01  11  01  11は除外される。これにより、ソースデータには小さな制限が加わる。しかし、このような制限は、例えば同期カラーパターンのビットにアドレスを表すビットが続くとき、フォーマットに容易に組み込むことができる。例えば、同期カラーパターンビットに続く最初のビットが１を固定すれば、制限に従うことになる。
【００１０】
本発明の第２の実施形態によれば、６つの情報ビット100  101または６つの情報ビット010  101のいずれかから構成されている付加的同期カラーパターンの最後のニブル（すなわち、最後の３ビット）は、３ビット変調ワードに符号化されたデータビット11を表すものとして扱われる。この３ビット変調ワードは、図１の変換テーブルに示した17PP変調コードによる。その後、17PP変調符号化によるRMTR置換がデータビットのみに行われる。そうすれば、チャンネルデコーダが付加的同期カラーパターンを検知して、曖昧さなしに逆置換を実行できる。この実施例を図４に示した。
【００１１】
本発明の第２の態様によれば、本発明の目的は、付加的同期カラーパターンが６つの情報ビット101  001、６つの情報ビット010  100、または６つの情報ビット100  100のいずれかから構成されているパターンであるときに達成される。ハミング距離が２以上という制限が解除されたとき、いくつかの同期カラーパターンを利用できるようになる。
【００１２】
図５に示したテーブルにおいて、既存の同期カラーパターンFS0〜FS6がテーブルの左側部分にシステマティックに並んでいる。テーブルの右側部分には、代替的な付加的同期カラーパターンＡ〜Ｋを示した。遷移シフト距離が１である隣り合った同期カラーパターンを括弧に入れて示した。同期カラーパターン101  001(A)、010  100(G)、100  100(H)は、ただ１つの既存の同期カラーパターンに対して遷移シフト距離が１である。従って、付加的同期カラーパターンとしてこれらのパターンが好ましい。これらのパターン(A、G、H)には、RMTR違反がないというさらに別の利点がある。
【図面の簡単な説明】
【００１３】
【図１】17PP変調符号変換テーブルを示す図である。
【図２】既知の同期カラーパターンを有する同期パターンを示す図である。
【図３】繰り返し最小遷移ランレングスが７となる最悪のシナリオを示す図である。
【図４】本発明の第１の態様による実施形態の実施例を示す図である。
【図５】既存の同期カラーパターンと、本発明の第２の態様による別の付加的同期カラーパターンとを有するテーブルを示す図である。
【図６】記録担体に格納された、同期パターンを有するデータビットストリームの実施例を示す図である。
【発明を実施するための形態】
【００１４】
図１は17PP変調符号変換テーブルを示している。データビットはこのテーブルにより変調ビットに変換される。変調ビットストリームは記録担体に格納され、変調ビットストリーム中の１のところで、記録担体に格納された信号が遷移する。この変調符号はd=1、k=7のランレングス制限（RLL）符号であり、ランレングス（記録担体上の符号化されたデータビットストリーム中の連続する０または１の個数）は最小ランレングスの２から最大ランレングスの８までの範囲にある。さらに、この17PP変調符号は、繰り返し最小遷移ランレングス（RMTR）が６に等しいという制限を有しており、連続する最小ランレングスの個数が６に制限されている。
【００１５】
図２は、既知の７つの同期パターンを示す。これらの同期パターンにはFS0からFS6までの番号が付されている。各同期パターンは24ビットの同期ボディとそれに続く6ビットの同期カラーパターンから構成されている。同期ボディはすべての同期パターンで同一であり、同期パターンの存在を示している。同期カラーパターンは、特定の同期パターンを識別するサインである。これらの特定の同期パターンは、情報ブロックの始まり等のデータビットストリーム中の特定の場所をマークするために用いられる。
【００１６】
インテグリティという理由（すなわち読み出しエラーに対する強さ）から、これらの同期カラーパターンは、遷移シフトに関して距離（すなわち、遷移シフトのみが起きたときのハミング距離）が２以上となるように選ばれている。読み出しエラーにより遷移シフトのみが起こり、遷移は付加も削除もされないと仮定する。
【００１７】
図６は記録担体に格納されたデータビットストリームを示す。該データビットストリームは、２つのリンクフレーム５６、５７でリンクされた２つの情報ブロック５１、５２を有する。情報ブロックは、情報６１、６２自体を保持する部分と同期パターン７１、７４、７５を保持する部分とから構成されている。その同期パターンは、図２に示した同期パターンFS0〜FS6から選択してもよい。情報ブロックの始まりを示すために、特定の同期パターン７４を予約しておくことが好ましい。このような特定の同期パターン７４は、例えば、同期カラーパターン000  001で識別される同期パターンFS0である。（FS1〜FS6から選択される）他の同期パターン７１、７５は、情報ブロック内の特定の場所をマークするために用いられる。２つのリンクフレーム５６、５７は、２つの続いた情報ブロック５１、５１をリンクする。各リンクフレームは、同期パターン７２、７３とリンクフレームボディ６６、６７とから構成されている。リンクフレーム中の同期パターン７２、７３を情報ブロック中の同期パターン７１、７４、７５から区別するために、リンクフレーム中の同期パターン７２、７３は、本発明による付加的同期カラーパターン（例えば、６つの情報ビット100  101から構成されたパターン）を有する。リンクフレームボディ６６、６７は、付加的同期カラーパターンの直後の最初の８ビットがデータシーケンス01  11  01  11（この場合、制限に違反する）でない限り、いかなるデータビットから構成されていてもよい。以下のことに注意すべきである。すなわち、別の実施形態においては、第２のリンクフレーム５７中の同期パターン７３は、図２に示した同期パターンFS0〜FS6から選択してもよい。なぜなら、データビットストリーム中の２つのリンクフレームのシーケンスは、付加的同期カラーパターンを有する第１のリンクフレーム５６中の同期パターン７２によりすでにサインが示されているからである。
【図１】
2010108596.tif 000003
【図２】
2010108596.tif 000004
【図３】
2010108596.tif 000005
【図４】
2010108596.tif 000006
【図５】
2010108596.tif 000007
【図６】
2010108596.tif 000008
【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
情報のブロックを識別するための同期パターンを有する記録担体であって、
前記同期パターンは一の同期パターンを他の同期パターンから区別するための部分を有し、
前記同期パターンを区別するための部分は、ビットシーケンス100  101またはビットシーケンス010  101から構成されていることを特徴とする記録担体。
【請求項２】
請求項１に記載の記録担体であって、
前記ビットシーケンス100  101またはビットシーケンス010  101から構成されている前記同期パターンを区別するための部分を有する前記同期パターンの直後に、繰り返し最小遷移ランレングスに対する制限に違反しないビットシーケンスが続くことを特徴とする記録担体。
【請求項３】
請求項２に記載の記録担体であって、
前記ビットシーケンス100  101またはビットシーケンス010  101から構成されている前記同期パターンを区別するための部分を有する前記同期パターンの直後に、シーケンス01  11  01  11以外の８ビットデータビットシーケンスが続くことを特徴とする記録担体。
【請求項４】
記録担体に情報のブロックを識別するための同期パターンを記録する装置であって、
前記同期パターンは一の同期パターンを他の同期パターンから区別するための部分を有し、
前記装置は、ビットシーケンス100  101またはビットシーケンス010  101から構成されている、同期パターンを区別するための部分を有する同期パターンを記録するように動作することを特徴とする装置。
【請求項５】
記録担体からデータパターンを読み出す装置であって、
前記データパターンは情報のブロックを識別するための同期パターンを有し、
前記同期パターンは一の同期パターンを他の同期パターンから区別するための部分を有し、
前記装置は、ビットシーケンス100  101またはビットシーケンス010  101から構成されている、同期パターンを区別するための部分を有する同期パターンを識別するように動作することを特徴とする装置。
【手続補正２】
【補正対象書類名】明細書
【補正対象項目名】００１１
【補正方法】変更
【補正の内容】
【００１１】
留意すべき点として、ハミング距離が２以上という制限が解除されたとき、いくつかの同期カラーパターンを利用できるようになる。付加的同期カラーパターンは、６つの情報ビット101  001、６つの情報ビット010  100、または６つの情報ビット100  100のいずれかから構成されているパターンであるように選択できる。
【外国語明細書】
2010108596000001.pdf
2010108596000002.pdf
2010108596000003.pdf
2010108596000004.pdf